(57)【特許請求の範囲】
【請求項１】
乾燥風の入口および出口を有し内部に乾燥対象の衣類が収容される乾燥室と、
この乾燥室の外側において一端部が前記入口に接続され他端部が前記出口に接続された循環風路と、
この循環風路中に設けられ前記乾燥室内の空気を前記循環風路を通して循環させる送風機と、
前記循環風路中に設けられ当該循環風路を流れる循環風を加熱する加熱手段と、
前記循環風路を流れる循環風を循環風路外へ排出する排気口と、
この排気口を開閉する排気ダンパと、
前記循環風の温度を検知する温度センサと、
前記衣類を乾燥させる乾燥運転を制御する制御手段と、を備え、
前記乾燥運転のコースとして、消費電力の抑制を志向する第一のコースと、この第一のコースよりも消費電力の抑制を志向しない第二のコースを備え、
前記制御手段は、前記乾燥運転中に前記温度センサが設定温度以上を検知することに基づき前記排気ダンパを閉とするものであって、
前記第一のコースでは、前記第二のコースに比べて、前記排気ダンパを閉とする前記設定温度が高く設定されており、
前記第一のコースでは、当該第一のコースを含む全てのコースのうちで、前記排気ダンパを閉とする前記設定温度が最も高く設定されている衣類乾燥機。
【請求項２】
前記温度センサは、前記循環風路にあって前記加熱手段と前記出口との間の前記出口側を流れる循環風の温度を検知する位置に配置されている請求項１記載の衣類乾燥機。
【請求項３】
前記排気ダンパを閉とする前記設定温度は、前記送風機や前記加熱手段の出力によって異なる請求項１または２記載の衣類乾燥機。
【発明の詳細な説明】
【技術分野】
【０００１】
本発明の実施形態は、衣類乾燥機に関する。
【背景技術】
【０００２】
衣類乾燥機としては、例えば衣類の洗濯機能と乾燥機能を備えた洗濯乾燥機が知られている。この洗濯乾燥機においては、乾燥室として機能する水槽の外側に循環風路が設けられ、その循環風路内に、加熱手段、除湿手段、および送風機が設けられている。そして、乾燥運転時には、送風機の送風作用により、乾燥室内の空気を循環風路を通して循環させ、このとき、加熱手段により加熱した空気を乾燥室内に送ることで乾燥室内の衣類を加熱するとともに、湿気を含んだ空気を除湿手段にて除湿することを繰り返すことで、衣類を乾燥させるようになっている。
【先行技術文献】
【特許文献】
【０００３】
【特許文献１】特開２００８−１１０１３５号公報
【発明の概要】
【発明が解決しようとする課題】
【０００４】
この種の洗濯乾燥機においては、前記循環風路に排気口を設けた構成のものがあるが、その排気口は常時開放されていて、乾燥運転中は常に循環風の一部を排気していた。このため、排気口からの排気量や排気するタイミングを制御することができなかった。
【０００５】
そこで、循環風路に排気口を設けたものにおいて、その排気口からの排気量や排気タイミングを制御することができる衣類乾燥機を提供する。
【課題を解決するための手段】
【０００６】
本実施形態の衣類乾燥機は、乾燥風の入口および出口を有し内部に乾燥対象の衣類が収容される乾燥室と、この乾燥室の外側において一端部が前記入口に接続され他端部が前記出口に接続された循環風路と、この循環風路中に設けられ前記乾燥室内の空気を前記循環風路を通して循環させる送風機と、前記循環風路中に設けられ当該循環風路を流れる循環風を加熱する加熱手段と、前記循環風路を流れる循環風を循環風路外へ排出する排気口と、この排気口を開閉する排気ダンパと、前記循環風の温度を検知する温度センサと、前記衣類を乾燥させる乾燥運転を制御する制御手段と、を備え、前記乾燥運転のコースとして、消費電力の抑制を志向する第一のコースと、この第一のコースよりも消費電力の抑制を志向しない第二のコースを備える。前記制御手段は、前記乾燥運転中に前記温度センサが設定温度以上を検知することに基づき前記排気ダンパを閉とするものであって、前記第一のコースでは、前記第二のコースに比べて、前記排気ダンパを閉とする前記設定温度が高く設定されており、前記第一のコースでは、当該第一のコースを含む全てのコースのうちで、前記排気ダンパを閉とする前記設定温度が最も高く設定されている。
【図面の簡単な説明】
【０００７】
【図１】第１実施形態の洗濯乾燥機における概略構成を模式的に示す破断側面図
【図２】洗濯乾燥機における概略構成を模式的に示す背面図
【図３】後部側から見た洗濯乾燥機の外観斜視図
【図４】天板部の一部を破断した状態で示す排気口付近の斜視図
【図５】要部の縦断側面図
【図６】乾燥運転時の温度変化と排気ダンパの開閉制御の関係を示す図
【図７】第２実施形態における乾燥運転のコースと排気ダンパの開閉制御の関係などを示す図
【図８】乾燥運転時の温度変化と各コースにおける排気ダンパの開閉制御の関係を示す図
【図９】第３実施形態における乾燥運転時の温度変化と、排気ダンパの開閉制御および加熱手段の出力の変化を示す図
【図１０】第４実施形態における乾燥運転時の温度変化と、排気ダンパの開閉制御および加熱手段の出力の変化を示す図
【図１１】第５実施形態における乾燥運転時の温度変化と排気ダンパの開閉制御の関係を示す図
【図１２】第６実施形態における図１相当図
【図１３】乾燥運転時の温度変化および湿度変化と、排気ダンパの開閉制御の関係を示す図
【発明を実施するための形態】
【０００８】
以下、複数の実施形態による衣類乾燥機を、図面を参照しながら説明する。なお、各実施形態において実質的に同一の構成部位には同一の符号を付し、説明を省略する。
（第１実施形態）
第１実施形態について図１から図６を参照して説明する。まず、図３に示す洗濯乾燥機１は、衣類の洗濯機能と乾燥機能を備えた、いわゆるドラム式のものであり、衣類乾燥機としても機能する。洗濯乾燥機１の外殻を構成する外箱２は、矩形の箱状をなしている。この外箱２の前面部２ａには、図示しない洗濯物出入口を開閉する扉３（図１参照）が設けられている。この場合、前面部２ａは、やや前下がりの傾斜状に形成されている。
【０００９】
外箱２の天板部２ｂの前部には、操作パネル４（図３参照）が設けられている。この操作パネル４には、電源オンキー５ａおよび電源オフキー５ｂと、タッチパネル６が設けられている。電源オンキー５ａを押圧操作することで電源がオンされ、電源オフキー５ｂを押圧操作することで電源がオフされる。タッチパネル６は、使用者による種々の入力を受け付ける入力部としての機能と、使用者に対する種々の表示を行う表示部としての機能を有していて、運転コースなどの設定を行うことができる。
【００１０】
外箱２の内部には、図１および図２に示すように、水槽７が図示しないサスペンションにより弾性的に支持された状態で配設されている。この水槽７は、円筒状をなし、後面が水槽端板により閉鎖されている。水槽７は、これの中心軸線が前後方向を向く横向きで、かつやや前上がりの傾斜状態で配置されていて、前面開口部がべローズ８を介して前記洗濯物出入口に接続されている。洗濯乾燥機１には、水槽７内へ給水するための給水機構１０（図３参照）が設けられている。給水機構１０は、図示はしないが給水ホースを介して水道の蛇口に接続される。
【００１１】
水槽７の後部の底部には排水口１１が設けられていて、この排水口１１に、排水弁１２を介して排水管１３が接続されている。排水弁１２が閉鎖された状態で給水機構１０から水槽７内に水が供給された場合には、その水は水槽７内に貯留される。排水弁１２が開放されることに伴い、水槽７内に貯留されていた水は、排水管１３を通して機外へ排出される。
【００１２】
水槽７内には、回転槽１４が回転可能に配設されている。この回転槽１４も、水槽７と同様に、後面が回転槽端板により閉鎖された円筒状をなしていて、これの中心軸線が前後方向を向く横向きで、かつやや前上がりの傾斜状態で配置されている。回転槽１４の前面開口部は、水槽７の前面開口部および洗濯物出入口に連通している。扉３を開放することで、洗濯物出入口、水槽７の前面開口部、および回転槽１４の前面開口部を通して回転槽１４に対して衣類を出し入れすることができる。したがって、回転槽１４内には、洗濯および乾燥の対象物となる衣類が出し入れ可能に収容される。回転槽１４の周壁部および後部の端板には、複数の孔部１５が設けられている。この孔部１５は、洗濯運転時には通水孔として機能し、脱水運転時には脱水孔として機能し、乾燥運転時には通風孔として機能する。
【００１３】
水槽７の背面部にはモータ１６が設けられている。このモータ１６は、この場合アウターロータタイプのＤＣブラシレスモータにより構成されていて、これの回転軸が水槽端板を貫通して回転槽１４の端板に連結されている。回転槽１４は、モータ１６により直接回転駆動される。水槽７は、乾燥運転時に乾燥対象の衣類を収容する乾燥室として機能する。
【００１４】
外箱２内において、水槽７の外側には循環風路１８が設けられている。水槽７には、この循環風路１８と接続するための入口１９と出口２０が設けられている。このうちの入口１９は、図２に示すように、水槽７の背面となる水槽端板においてモータ１６の上方となる部位に設けられ、出口２０は、図１に示すように、水槽７の周壁部における前部の右上部に設けられている。
【００１５】
循環風路１８は、この場合、排気ダクト２１と、フィルタ用ダクト２２と、中間ダクト２３と、熱交換器用ダクト２４と、給気ダクト２５を備えている。循環風路１８の一端部を構成する排気ダクト２１の一端部が、水槽７の前記出口２０に接続されている。排気ダクト２１の後端部が、フィルタ用ダクト２２に前方から接続されている。フィルタ用ダクト２２の前部には、乾燥用のフィルタ装置２７が設けられている。フィルタ装置２７については、後で詳述する。フィルタ用ダクト２２は、図５にも示すように、後方に向けて下降傾斜していて、後下端部が中間ダクト２３の上端部に接続されている。
【００１６】
中間ダクト２３は、図２に示すように下方へ延び、その下端部が、外箱２内の下部に配置された熱交換器用ダクト２４の一端部に接続されている。熱交換器用ダクト２４は、外箱２内の下部において左右方向に延び、他端部が送風機２８のファンケーシング２９における吸気口２９ａに接続されている。送風機２８は、ファンケーシング２９と、このファンケーシング２９内に配置されたファン３０と、このファン３０を回転駆動するファンモータ３１を備えている。ファンケーシング２９の吐出口２９ｂは上に向けられ、給気ダクト２５の下端部に接続されている。給気ダクト２５は、上下方向に延びていて、その上端部が、水槽７の背面部において前記入口１９に接続されている。
【００１７】
熱交換器用ダクト２４内には、図２に示すように、ヒートポンプ３２の凝縮器３３と蒸発器３４が配設されている。ヒートポンプ３２は、周知のように、冷媒を圧縮して吐出する圧縮機３５と、圧縮機３５から吐出された高温高圧の冷媒を放熱して凝縮させて液化させる凝縮器３３と、この凝縮器３３で液化した冷媒の流量を調整する絞り装置３６と、この絞り装置３６を通った冷媒を蒸発させる蒸発器３４を、冷媒流路３７でサイクル接続して構成されたもので、冷凍サイクルを構成している。このうち、凝縮器３３は、熱交換器用ダクト２４内を流れる空気を加熱する加熱手段として機能し、蒸発器３４は、熱交換器用ダクト２４内を流れる空気を冷却して除湿する除湿手段として機能する。熱交換器用ダクト２４において、蒸発器３４が中間ダクト２３との接続部寄りに配置され、凝縮器３３が送風機２８寄りに配置されている。
【００１８】
ここで、送風機２８のファンモータ３１が駆動されると、ファン３０の送風作用により、図１および図２に矢印で示すように、ファンケーシング２９の吐出口２９ｂから吐出された空気が給気ダクト２５を通り、入口１９から水槽７内、ひいては回転槽１４内に供給される。また、回転槽１４内、ひいては水槽７内の空気は、出口２０から排気ダクト２１、フィルタ用ダクト２２、中間ダクト２３、熱交換器用ダクト２４を順に通り、ファンケーシング２９の吸気口２９ａからファンケーシング２９内に吸い込まれる。このようにして、水槽７内の空気が循環風路１８を通して循環される。
【００１９】
前記フィルタ装置２７は、図５に示すように、第１のフィルタ部材４０と、第２のフィルタ部材４１を備えている。これら第１のフィルタ部材４０および第２のフィルタ部材４１は、乾燥運転時に衣類から出るリント（糸屑）などを捕獲し、リントなどが下流に流れることを防止するためのもので、二重構造となっている。第２のフィルタ部材４１の網目は、第１のフィルタ部材４０の網目より細かいものが用いられていて、第１のフィルタ部材４０を通過したリントも第２のフィルタ部材４１で捕獲できるようになっている。これら第１および第２のフィルタ部材４０，４１は、フィルタ用ダクト２２のフィルタ収容部４２に対して着脱可能に装着されている。
【００２０】
図３および図４にも示すように、外箱２の天板部２ｂにおいて、フィルタ装置２７に対応する部位には、フィルタカバー４３が設けられている。このフィルタカバー４３は、後端部の軸部４３ａ（図５参照）を支点に上下方向へ回動可能とされている。また、フィルタカバー４３には、手掛け用開口部４４が設けられているとともに、この手掛け用開口部４４を開閉する手掛け用蓋４５が設けられている。手掛け用蓋４５は、後端部の軸部４５ａを支点に上下方向へ回動可能とされていて、ばねなどの付勢手段により閉鎖方向に付勢されている。
【００２１】
この場合、使用者が、閉鎖状態の手掛け用蓋４５の前部を手指で上方から下方へ押すことで、手掛け用蓋４５を下方へ回動させて手指を手掛け用開口部４４に挿入し、そして手掛け用開口部４４の前縁部に手指を掛けてフィルタカバー４３を引き上げるようにすることで、フィルタカバー４３を開放させることができる。フィルタカバー４３を開放させることで、第１および第２のフィルタ部材４０，４１をフィルタ収容部４２から外して掃除することが可能となる。
【００２２】
フィルタ用ダクト２２において、フィルタ収容部４２の後方側は、前述したように後方に向けて下降傾斜していて、その途中の上部にほぼ水平となる水平状部４７が設けられている。その水平状部４７に排気口４８が設けられている。排気口４８は、図４に示すように、複数のスリットによって形成されていて、フィルタ用ダクト２２内ひいては循環風路１８内と循環風路１８外を連通させている。水平状部４７の上面側には、排気口４８を開閉する排気ダンパ４９が設けられている。この排気ダンパ４９は、一端部の軸部４９ａを支点に回動が可能で、図示しないモータによって回動操作される。
【００２３】
外箱２の天板部２ｂには、水平状部４７の上方付近に位置させて、後方に向けて下降傾斜する傾斜部５０が設けられていて、この傾斜部５０に、外側排気口５１が設けられている。この外側排気口５１も、図３に示すように、複数のスリットによって形成されていて、外箱２内と外箱２外とを連通させている。この場合、外側排気口５１の開口面積は、排気口４８の開口面積よりも大に設定している。外箱２には、天板部２ｂの下側に位置させて補強部材５２（図４参照）が設けられている。
【００２４】
ここで、送風機２８の運転時において、排気ダンパ４９が開放動作して排気口４８が開放されると、循環風路１８内を流れる空気の一部が、図１に矢印Ａ１で示すように、排気口４８から外側排気口５１を通って外箱２の外部へ排出される。
【００２５】
図２に示すように、循環風路１８における熱交換器用ダクト２４の上部には、蒸発器３４と凝縮器３３との間に位置させて吸気口５３が設けられている。この吸気口５３は、循環風路１８内と循環風路１８外とを連通させている。吸気口５３は常時開放されていて、前記送風機２８の運転時に排気ダンパ４９が排気口４８を開放して循環風の一部が排気されることに伴い、循環風路１８外（外箱２内）の空気が循環風路１８内へ吸入される。
【００２６】
図２に示すように、循環風路１８における給気ダクト２５には、循環風路１８内を流れる循環風の温度を検知する第１温度センサ５５が設けられている。この第１温度センサ５５は、循環風路１８にあって加熱手段を構成する凝縮器３３と入口１９との間のうち、入口１９の近傍に配置されている。第１温度センサ５５は、循環風路１８内を流れる循環風のうち、凝縮器３３にて加熱されて水槽７内に供給される風の温度を検知する。
【００２７】
図１に示すように、循環風路１８における出口２０側、この場合フィルタ用ダクト２２には、排気口４８の下流側に位置させて第２温度センサ５６が設けられている。この第２温度センサ５６は、循環風路１８内を流れる循環風のうち出口２０側の温度を検知する。
【００２８】
図２に示すように、ヒートポンプ３２には、冷媒流路３７を流れる冷媒の温度を検知する冷媒用温度センサが複数個設けられている。具体的には、圧縮機３５の吐出口３５ａ付近の温度を検知する第１冷媒用温度センサ５７と、凝縮器３３の温度を検知する第２冷媒用温度センサ５８と、蒸発器３４の入口側の温度を検知する第３冷媒用温度センサ５９と、圧縮機３５の吸入口３５ｂ付近の温度を検知する第４冷媒用温度センサ６０が設けられている。
【００２９】
図１に示すように、外箱２内の下部の前部には、制御手段を構成する制御装置６１が設けられている。この制御装置６１は、マイクロコンピュータを主体に構成されていて、操作パネル４における電源オンキー５ａ、電源オフキー５ｂ、タッチパネル６の入力部、第１および第２温度センサ５５，５６、第１〜第４冷媒用温度センサ５７〜６０などからの信号や、予め備えた制御プログラムに基づき、操作パネル４の表示部、給水機構１０、排水弁１２、モータ１６、送風機２８、ヒートポンプ３２の圧縮機３５、排気ダンパ４９などを制御する機能を備えている。
【００３０】
上記構成において、回転槽１４内に衣類を収容した状態で、使用者により操作パネル４において乾燥運転が設定されると、制御装置６１は乾燥運転を実行する。乾燥運転では、モータ１６により回転槽１４を適宜回転させるとともに、ヒートポンプ３２の圧縮機３５を駆動させ、さらに送風機２８を駆動させる。
【００３１】
このうち、回転槽１４を回転させることで、回転槽１４内の衣類が撹拌される。また、圧縮機３５を駆動させることで、冷媒が冷媒流路３７を通して循環し、これに伴い、凝縮器３３での放熱により当該凝縮器３３の周りの空気が加熱されるとともに、蒸発器３４での吸熱により当該蒸発器３４の周りの空気が冷却されて除湿される。
【００３２】
そして、送風機２８の駆動に伴い、凝縮器３３で加熱された温風が給気ダクト２５を通り、入口１９から水槽７内、ひいては回転槽１４内に供給される。その温風により衣類が加熱され、湿気が奪われる。湿気を奪った空気は、出口２０から排気ダクト２１側へ排出される。排気ダクト２１側へ排出された空気は、フィルタ用ダクト２２、中間ダクト２３を通り、熱交換器用ダクト２４内に入る。熱交換器用ダクト２４内に入った、湿気を含んだ空気は、蒸発器３４を通過する過程で冷却されて除湿される。除湿された空気は、凝縮器３３を通過する過程で再び加熱されて温風化され、その温風が給気ダクト２５を通り、入口１９から水槽７内に供給される。この流れを繰り返すことで、衣類が次第に乾燥されるようになる。
【００３３】
この乾燥運転中において、衣類からリントが発生すると、そのリントも、出口２０から排気ダクト２１側へ排出される空気と共に流れ、第１のフィルタ部材４０、第２のフィルタ部材４１を通過する際にそれらに捕獲される。
【００３４】
また、この乾燥運転中において、制御装置６１は、排気ダンパ４９を開閉制御する。具体的には、図６に示すように制御する。図６には、乾燥室となる水槽７の入口１９側の温度（乾燥室入口側温度と称する）を検知する第１温度センサ５５の検知温度の変化と、乾燥室となる水槽７の出口２０側の温度（乾燥室出口側温度と称する）を検知する第２温度センサ５６の検知温度の変化と、排気ダンパ４９を開閉するタイミングを示している。
【００３５】
乾燥運転の開始時は、排気ダンパ４９は閉じている（図５の二点鎖線参照）。乾燥運転が進むにつれて乾燥室入口側温度が上昇するとともに、乾燥室出口側温度も少しずつ上昇する。排気ダンパ４９が閉じている状態では、水槽７内および循環風路１８内を流れる循環風は排気口４８から排気されないとともに、吸気口５３から吸気もされない。
【００３６】
そして、乾燥室入口側温度（第１温度センサ５５の検知温度）が、予め設定された設定温度（第１設定温度）である６０℃になると、制御装置６１は排気ダンパ４９を開放動作させ、排気口４８を開放させる（図５の実線状態参照）。すると、循環風路１８を流れる循環風の一部は、図１の矢印Ａ１で示すように、排気口４８から外側排気口５１を通って機外である外箱２の外側へ排気される。このとき、排気口４８から機外へ排出される排気は、衣類から奪った湿気を含んでいて、湿気も排出されることになる。また、循環風の一部が排気されることに伴い、循環風路１８外の空気が、熱交換器用ダクト２４の吸気口５３から循環風路１８内へ吸気されるようになる（図２の矢印Ａ２参照）。
【００３７】
そして、乾燥運転がさらに進み、乾燥室出口側温度（第２温度センサ５６の検知温度）が、予め設定された設定温度（第２設定温度）である６５℃になると、制御装置６１は排気ダンパ４９を閉鎖動作させ、排気口４８を閉鎖する。すると、排気口４８から機外への排気が停止されるとともに、吸気口５３から循環風路１８内への吸気も停止されるようになる。これにより、６５℃を越えるような高温の空気が排気口４８から機外へ排出されることを防止することができる。
【００３８】
制御装置６１は、乾燥運転が進み、例えば、乾燥室入口側温度（第１温度センサ５５の検知温度）と、乾燥室出口側温度（第２温度センサ５６の検知温度）との温度差が設定値以下になると、乾燥が完了したと判断し、ヒートポンプ３２の運転を停止し、送風機２８の駆動を継続して冷却運転を行った後、送風機２８も停止させて乾燥運転を終了することになる。
【００３９】
上記した実施形態によれば、次のような作用効果を得ることができる。
循環風路１８に排気口４８を設けるとともに、この排気口４８を開閉する排気ダンパ４９を設けたことにより、排気口４８からの排気量や排気タイミングを制御することができる。
【００４０】
乾燥運転中において、循環風路１８を流れる循環風の温度を第１温度センサ５５にて検知し、制御装置６１は、その第１温度センサ５５が設定温度である６０℃を検知することに基づき排気ダンパ４９を開放動作させるようにした。これにより、循環風が適度に温まってから、循環風の一部を機外へ排出させることで、循環風に含まれる湿気の一部も排出させることが可能になる。これに伴い、除湿を促進させることが可能となり、乾燥時間の短縮化や、消費電力の抑制を図ることが期待できる。また、排気に伴い、吸気口５３から吸気も行われるので、循環風の温度上昇が抑えられる。これに伴いヒートポンプ３２の冷媒流路３７を流れる冷媒の温度上昇が抑えられ、圧縮機３５の運転が頻繁に停止することを防止できる。
【００４１】
この場合、第１温度センサ５５は乾燥室の入口付近の温度を検知するようにしているので、循環風の立ち上がり温度を良好に検知することができ、排気ダンパ４９の開制御に有効である。
【００４２】
また、循環風路１８にあって、水槽７の出口２０側を流れる循環風の温度を検知する位置に第２温度センサ５６を設け、この第２温度センサ５６が第２設定温度である６５℃を検知することに基づき排気ダンパ４９を閉鎖動作させるようにした。これにより、６５℃を越えるような高温の空気が機外へ排出されることを防止することができる。この場合、加熱手段として機能する凝縮器３３を備えたヒートポンプ３２（圧縮機３５）の出力を特に低下させることなく、高温の空気が機外へ排出されることを防止できる。
【００４３】
本実施形態において、内側の排気口４８は上向きで、外側排気口５１は後斜め上向きで、開口角度が異なっていて、排気口４８から排出される排気は、天板部２ｂに設けられた傾斜部５０の外側排気口５１から上斜め後方へ排出されるようになる。このため、洗濯乾燥機１が設置された周辺の壁に、排気による結露は発生し難くできる。また、前方へ排気しないので、使用者からは排気は見え難く、しかも使用者に排気が直接かかることを防止できる。
【００４４】
さらに、排気ダンパ４９で直接開閉される排気口４８のスリットは、フィルタ用ダクト２２の風路と同方向に延びるように設けているので、排気口４８に、循環風路１８を流れるリントが付き難い利点がある。また、フィルタ用ダクト２２の風路は後ろ下がりに傾斜しているが、排気口４８は水平状部４７に設けているので、排気口４８のスリットに結露水が溜まり難い利点がある。また、外側排気口５１の開口面積を、内側の排気口４８の開口面積よりも大に設定しているので、排気口４８から出た排気が外側排気口５１から機外へ排出される際の流速を落とすことができる。
【００４５】
上記した実施形態において、排気ダンパ４９を開放動作させた際に、送風機２８の出力である回転数を上げるようにすることができる。これによれば、循環風路１８を流れる循環風の風量が増え、排気量および吸気量が増えることになり、循環風の温度上昇を抑制することが可能になる。
【００４６】
（第２実施形態）
次に第２実施形態について主に図７および図８を参照して説明する。制御装置６１が実施できる乾燥運転には、図７に示すように４つのコースがある。４つのコースとは、この場合、省エネコースと、お急ぎコースと、念入りコースと、上質乾燥コースである。
【００４７】
省エネコースは、消費電力の抑制を志向するコースで、ファン回転数（送風機２８の回転数）は低め（４０００ｒｐｍ）、循環風温度も低め、乾燥時間は標準とする。
お急ぎコースは、乾燥時間の短時間化を志向するコースで、ファン回転数は標準（５０００ｒｐｍ）、循環風温度は高め、乾燥時間は短めとなる。
【００４８】
念入りコースは、しっかりと乾燥させることを志向するコースで、ファン回転数は標準（５０００ｒｐｍ）、循環風温度は高め、乾燥時間は長めとなる。
上質乾燥コースは、布傷みを少なく、しかもしわの発生を抑えることを志向するコースで、ファン回転数は高く（５５００ｒｐｍ）、循環風温度は低め、乾燥時間は長めとなる。
【００４９】
この場合、これら４つのコースのうち、省エネコース以外の３つのコース（お急ぎコース、念入りコース、上質乾燥コース）は、省エネコースより消費電力の抑制を志向しないコースということもできる。
【００５０】
制御装置６１は、これら４つのコースにおいて、排気ダンパ４９を開放させる設定温度と、閉鎖させる設定温度を設定していて、これらの設定温度はコースによって異なっている。具体的には、省エネコースの場合、排気ダンパ４９を開放させる設定温度は４０℃、排気ダンパ４９を閉鎖させる設定温度は６５℃とする。お急ぎコースの場合は、排気ダンパ４９を開放させる設定温度は６０℃、排気ダンパ４９を閉鎖させる設定温度は６３℃とする。念入りコースの場合は、排気ダンパ４９を開放させる設定温度は６０℃、排気ダンパ４９を閉鎖させる設定温度は６０℃とする。そして、上質乾燥コースの場合は、排気ダンパ４９は常時閉鎖状態とし、開閉制御は行わない。
【００５１】
図８には、乾燥運転における乾燥室入口側温度（第１温度センサ５５の検知温度）と乾燥室出口側温度（第２温度センサ５６の検知温度）の変化と、排気ダンパ４９を開閉するタイミングを示している。
【００５２】
省エネコースの場合、乾燥運転開始時は排気ダンパ４９は閉鎖している。そして、第１温度センサ５５が設定温度である４０℃を検知すると、排気ダンパ４９を開放動作させる。そして、乾燥運転が進み、第２温度センサ５６が設定温度である６５℃を検知すると、排気ダンパ４９を閉鎖動作させる。
【００５３】
お急ぎコースの場合も、乾燥運転開始時は排気ダンパ４９は閉鎖している。そして、第１温度センサ５５が設定温度である６０℃を検知すると、排気ダンパ４９を開放動作させる。そして、乾燥運転が進み、第２温度センサ５６が設定温度である６３℃を検知すると、排気ダンパ４９を閉鎖動作させる。
【００５４】
念入りコースの場合も、乾燥運転開始時は排気ダンパ４９は閉鎖している。そして、第１温度センサ５５が設定温度である６０℃を検知すると、排気ダンパ４９を開放動作させる。そして、乾燥運転が進み、第２温度センサ５６が設定温度である６０℃を検知すると、排気ダンパ４９を閉鎖動作させる。
【００５５】
上質乾燥コースの場合は、乾燥運転中、常時排気ダンパ４９は閉鎖している。
上記した実施形態において、省エネコースの場合、排気ダンパ４９を開放させる設定温度を他のコースより低く設定し、かつ排気ダンパ４９を閉鎖させる設定温度を他のコースよりも高く設定していて、排気ダンパ４９を開放させている機会を多くしている。これにより、排気口４８から排出される排気とともに湿気を多く排出でき、加熱手段である凝縮器３３および除湿手段である蒸発器３４による仕事量を減らすことが可能になり、省エネ性を向上させることが期待できる。
【００５６】
お急ぎコースの場合、排気ダンパ４９を開放させる時期を省エネコースよりも遅らせることで、循環風の温度を早く、しかも高くなるまで上昇させ、一度に除湿できる量を増やすことが可能となる。しかし、循環風の温度が上がり過ぎてヒートポンプ３２の圧縮機３５が停止してしまうと、循環風の温度が低下して、乾燥効率が低下してしまう。そこで、循環風の温度が十分に高く、しかもヒートポンプ３２の圧縮機３５が停止する前に排気ダンパ４９を開放動作させることで、乾燥効率の低下を防止でき、乾燥時間の短縮化に寄与できる。
【００５７】
また、省エネコースは、循環風温度は低く設定されていて、排気熱量は少ない。お急ぎコースは、循環風温度が省エネコースの場合よりも高く設定されていて、排気熱量は多い。念入りコースは、しっかりと衣類を乾燥させるため、お急ぎコースよりも運転時間が長く、循環風温度はお急ぎコースと同様に高く設定されている。よって、排気熱量は、省エネコース＜お急ぎコース＜念入りコースであるため、排気ダンパ４９を閉とする設定温度は、省エネコースは６５℃、お急ぎコースは６３℃、念入りコースは６０℃としている。
【００５８】
乾燥により発生する衣類のしわは、過乾燥になると、より顕著に現れやすい。過乾燥については、衣類の繊維質の違いによる乾きやすさの違いによる乾きむらなどによる場合がある。排気を行うと、湿気も同時に排出されるが、これは外気温や湿度に影響を受けやすいため、湿度が想定以上に低いなどして過乾燥になったり、または、乾きやすい衣類が乾いた状態であっても、乾き難い衣類を乾かすため、乾きやすい衣類が過乾燥になったりして、乾きむらが発生することがある。
【００５９】
そこで、上質乾燥コースの場合は、排気ダンパ４９を常時閉とし排気を行わないようにして、外気温等の影響を抑制し、湿度をコントロールし、過乾燥や乾きむらの発生を抑制することで、仕上がり性能の向上を図ることが可能となる。
【００６０】
（第３実施形態）
次に第３実施形態について主に図９を参照して説明する。ここでは、制御装置６１は、通常の乾燥行程の後半に除菌行程を実行するようにしている。通常の乾燥行程の前半においては、排気ダンパ４９は閉鎖していて、第１温度センサ５５の検知温度が例えば６０℃を検知することに基づき排気ダンパ４９を開放させる。除菌行程は衣類の除菌を目的とする行程であり、加熱手段の出力を高くし、循環風の温度を高くして行う必要があるが、排気口４８からの排気温度が高くなると、安全性が損なわれるおそれがある。そこで、本実施形態においては、除菌行程を実行する際には、排気ダンパ４９を閉鎖する。本実施形態の場合、加熱手段の出力を高くするには、圧縮機３５の出力を高くする。
【００６１】
このようにすることで、除菌行程では排気を行わない、すなわち吸気も行わないため、排気による熱ロスを抑制することができ、循環風温度を高めることができ、また、高温の空気を排気することなく、安全に衣類の除菌を行うことが可能となる。
【００６２】
（第４実施形態）
次に第４実施形態について主に図１０を参照して説明する。ここでは、制御装置６１は、通常の乾燥行程の後半にしわ抑制行程を実行するようにしている。この場合も、通常の乾燥行程の前半においては、排気ダンパ４９は閉鎖していて、第１温度センサ５５の検知温度が例えば６０℃を検知することに基づき排気ダンパ４９を開放させる。しわ抑制行程は、衣類にしわが発生することを抑制することを目的とする行程であり、前述した上質乾燥コースの場合と同様に、送風機２８の回転数を高くするとともに、加熱手段の出力を低くする。乾燥により発生するしわは、前述したように、過乾燥になると、より顕著に現れやすい。排気を行うと、湿気も同時に排出されるが、これは外気温や湿度に影響を受けやすいため、湿度が想定以上に低いなどして過乾燥になったり、または、乾きやすい衣類が乾いた状態であっても、乾き難い衣類を乾かすため、乾きやすい衣類が過乾燥になったりして、乾きむらが発生することがある。
【００６３】
そこで、しわ抑制行程では、上質乾燥コースの場合と同様に、排気ダンパ４９を閉鎖して排気を行わないようにすることで、外気温等の影響を抑制し、湿度をコントロールし、過乾燥や乾きむらの発生を抑制することで、仕上がり性能の向上を図ることが可能となる。また、排気ダンパ４９を閉鎖したら、加熱手段の出力を下げ、循環風温度の想定以上の上昇を抑えることで、乾燥むらを一層抑制することが可能となる。
【００６４】
（第５実施形態）
次に第５実施形態について主に図１１を参照して説明する。ここでは、制御装置６１は、乾燥運転において、ヒートポンプ３２における冷媒の温度を検知する温度センサとして、この場合第３冷媒用温度センサ５９の検知温度（蒸発器３４の入口付近の温度）が、予め設定された設定温度、例えば３８℃を検知することに基づき排気ダンパ４９を開放させる。そして、第２温度センサ５６が設定温度、この場合も６５℃を検知することに基づき排気ダンパ４９を閉鎖させる。
【００６５】
乾燥運転中において、冷媒温度が高温になり過ぎると圧縮機３５に負担がかかるため、通常、冷媒温度が予め設定された温度以上になると、圧縮機３５を停止させ、冷媒温度が低下したら、圧縮機３５を再起動するように制御するようにしている。圧縮機３５が停止している間は乾燥が進まないため、圧縮機３５の停止が起きると乾燥時間が長くなってしまう。また、圧縮機３５の停止、再起動を頻繁に繰り返すことは、圧縮機３５の負担になり、動作不良につながる。
【００６６】
そこで、圧縮機３５が強制的に停止する前に冷媒温度が設定温度（この場合、３８℃）になったら、排気ダンパ４９を開けて排気をし、循環風温度を下げることで、冷媒温度の上昇を抑え、圧縮機３５の停止による乾燥時間の長時間化を防止することが可能となる。また、排気ダンパ４９を開放した際に、送風機２８の回転数を上げて風量を上げることで、吸排気される空気の量が増え、循環風の温度上昇をさらに抑制することが可能となる。
【００６７】
本実施形態においては、蒸発器３４の入口付近での冷媒温度を検知する第３冷媒用温度センサ５９の検知温度に基づき排気ダンパ４９を開けるようにしている。この第３冷媒用温度センサ５９は、主に外部（洗濯乾燥機の設置空間）の温度環境に起因する異常を見ているため、凝縮器３３の冷媒温度を検知する第２冷媒用温度センサ５８とは違い、循環風路１８におけるフィルタ詰まりとは無関係である。このため、循環風の温度が高くなった場合に、循環風の流れが適切な状態で循環風の一部を排気させることで、循環風の温度低下が機能しやすい。
【００６８】
上記した実施形態に代えて、冷媒用温度センサとして凝縮器３３の温度を検知する第２冷媒用温度センサ５８の検知温度に基づき、排気ダンパ４９を開けるようにすることもできる。ヒートポンプ３２の制御においては、第２冷媒用温度センサ５８の検知温度が例えば９０℃になると、圧縮機３５を停止させる制御があり、第２冷媒用温度センサ５８の検知温度が９０℃に達する前の近い設定温度になったときに、排気ダンパ４９を開けるようにする。
【００６９】
ただし、第２冷媒用温度センサ５８は、主に循環風路１８内のフィルタ詰まりによる異常を見ていて、その第２冷媒用温度センサ５８の検知温度が高い場合は、循環風量が低下していることが想定される。このため、上記第３冷媒用温度センサ５９の検知温度で判断する場合と比較して、排気ダンパ４９を開けても外気の取り込み量は少なく、循環風温度は下がり難い。
【００７０】
また、冷媒用温度センサとして、圧縮機３５の吐出口３５ａ付近の温度を検知する第１冷媒用温度センサ５７の検知温度に基づき、排気ダンパ４９を開けるようにすることもできる。ヒートポンプ３２の制御においては、第１冷媒用温度センサ５７の検知温度が所定温度になると、圧縮機３５を停止させる制御があり、第１冷媒用温度センサ５７の検知温度が設定温度になったときに、排気ダンパ４９を開けるようにすることで、循環風温度を低下させることが可能となる。
【００７１】
（第６実施形態）
次に第６実施形態について主に図１２および図１３を参照して説明する。ここでは、図１２に示すように、循環風路１８における出口２０側、この場合、第２温度センサ５６の近傍に湿度センサ６５を設けている。この湿度センサ６５は、乾燥運転時において、出口２０から出た循環風の湿度を検知する。制御装置６１は、図１３に示すように、乾燥運転の開始時には排気ダンパ４９は閉鎖していて、湿度センサ６５の検知湿度が、予め設定された設定湿度、例えば９５％を検知することに基づき排気ダンパ４９を開放させるようにしている。そして、乾燥運転が進み、第２温度センサ５６が設定温度、この場合も６５℃を検知することに基づき排気ダンパ４９を閉鎖させる。
【００７２】
乾燥運転中において、検知湿度が高くなったところで排気ダンパ４９を開放させることで、排気とともに湿気も効率良く排出することで、乾燥効率の向上を図ることが可能となる。
【００７３】
（その他の実施形態）
上記した実施形態では、いわゆるドラム式の洗濯乾燥機を例示したが、水槽および回転槽の軸線が上下方向を指向する、いわゆる縦軸型の洗濯乾燥機にも適用することができる。また、衣類乾燥機としては、少なくとも乾燥機能があれば洗濯機能がないものでもよい。さらに、加熱手段はヒータ、除湿手段は水冷式除湿器とすることもできる。
【００７４】
以上説明したように、少なくとも一つの実施形態によれば、循環風路に設けた排気口にこれを開閉する排気ダンパを設け、その排気ダンパを開閉制御することで、排気口からの排気量や排気タイミングを制御することができる。
【００７５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００７６】
図面中、１は洗濯乾燥機（衣類乾燥機）、７は水槽（乾燥室）、１４は回転槽、１８は循環風路、１９は入口、２０は出口、２７はフィルタ装置、２８は送風機、３２はヒートポンプ、３３は凝縮器（加熱手段）、３４は蒸発器（除湿手段）、３５は圧縮機、３６は絞り装置、３７は冷媒流路、４８は排気口、４９は排気ダンパ、５０は傾斜部、５１は外側排気口、５３は吸気口、５５は第１温度センサ、５６は第２温度センサ、５７は第１冷媒用温度センサ、５８は第２冷媒用温度センサ、５９は第３冷媒用温度センサ（冷媒用温度センサ）、６０は第４冷媒用温度センサ、６１は制御装置（制御手段）、６５は湿度センサを示す。
【図１】
0006752568.tif 000002
【図２】
0006752568.tif 000003
【図３】
0006752568.tif 000004
【図４】
0006752568.tif 000005
【図５】
0006752568.tif 000006
【図６】
0006752568.tif 000007
【図７】
0006752568.tif 000008
【図８】
0006752568.tif 000009
【図９】
0006752568.tif 000010
【図１０】
0006752568.tif 000011
【図１１】
0006752568.tif 000012
【図１２】
0006752568.tif 000013
【図１３】
0006752568.tif 000014